(57)【特許請求の範囲】
【請求項１】
ボールホルダーとなる円柱状部材のボール抱持室となる前方の大径部を形成する前に、後ろ孔を形成し、この後ろ孔側から、切削刃を放射状に配置した切削治具を挿入して、放射状溝を非貫通状態にまで穿孔した後、ボールホルダーの前方よりボール抱持室となる大径部を穿孔し、ボール抱持室と放射状溝とを貫通させるボールペンチップの製造方法。
【発明の詳細な説明】
【技術分野】
【０００１】
本発明は、金属製の柱状部材に、切削加工にてインキ通路としての貫通孔を形成するボールペンチップの製造方法に関する。
【背景技術】
【０００２】
従来、カスレ等の筆跡不具合を抑制するため、ボール抱持室に潤沢なインキを供給することを目的に中心孔に連通し後孔まで貫通した放射状溝を形成することが知られているが、前方のボール抱持室側から、放射状に配置された切削刃を有する切削冶具を挿入して、後孔に貫通する際、切削冶具の進行方向に後孔錐面に形成される放射状溝周りのボールホルダー部材が引っ張られ、所謂バリと呼ばれる薄片状の凸部ができてしまったり、貫通孔の開口部分の角部分が、崖が崩れたように除去されてしまう脱落が発生する。
ボールを前方付勢するために、先端にストレート部を有するコイルスプリングを配置する際に、コイルスプリングのストレート部を中心孔に挿入しようとすると、前記バリに引掛り中心孔まで達しないことがあった。また、この放射状溝の幅を、コイルスプリングのストレート部の線径より小さく設定したとしても、後孔錐面に形成された放射状溝周りが脱落していることによりテーパー状に拡形した状態となっているので、ストレート部が挟まってしまい、ボールを前方付勢できず、インキ漏れ、空気巻き込みによるカスレなどのボールペンの品質に大きく影響を与えるので、後孔錐面に形成された放射状溝周りの状態は、極めて重要である。
【０００３】
そこで、特開２００３−１７０６９１号公報（特許文献１）には、後孔錐面に形成された放射状溝周りのバリを後孔側から押圧冶具または、切削冶具を挿入し除去し、コイルスプリングが正しい位置に配置されやすくしたボールペンチップの製造方法が開示されている。
また、特開平１１−３４８４８５号公報（特許文献２）には、後孔より放射状に配置された切削刃を有する切削冶具を挿入して、前方ボール抱持室側へ貫通し、後孔錐面にバリ・脱落部を発生させないといったボールペンチップの製造方法が開示されている。
【先行技術文献】
【特許文献】
【０００４】
【特許文献１】特開２００３−１７０６９１号公報
【特許文献２】特開平１１−３４８４８５号公報
【発明の概要】
【発明が解決しようとする課題】
【０００５】
しかしながら、上記特許文献１に記載の発明では、確かにバリの除去は、できるかもしれないが、放射状溝を形成する切削冶具が加工個数と共に切れ味の低下が起こり、それに伴い発生する脱落部の深さも次第に深く変化するため、脱落部が残ることとなる。そのことにより、後孔錐面に形成された放射状溝周りが脱落によりテーパー状に拡形し、放射状溝の幅をコイルスプリングのボールを前方付勢するストレート部の線径より小さく設定していても、脱落によるテーパー状拡形部がコイルスプリングのストレート部の線径より幅広となり、コイルスプリングのストレート部の挟まりが発生することがあった。すると、ボールを前方付勢できず、インキ漏れ、空気巻き込みによるカスレなどの問題が発生する。バリの除去加工の際に脱落部の問題がない程度に切削する場合、中心孔長さの３０〜５０％程度に亘り相当量の加工深さが必要であり、この切削加工による横方向のバリが発生することとなって、放射状溝が塞がりインキ流通が損なわれてしまう。
また、上記特許文献２に記載の発明では、後孔より放射状溝加工をするため、後孔錐面にバリ・脱落部の発生はないが、ボールホルダーの形状が先端尖りとなっていると共に、予めボール抱持室が形成されているため、ボールホルダーの先端開口部肉厚が薄く、放射状溝を形成するために切削されて押し退けられていくボールホルダーの肉が、先端側の薄肉部分を押し広げようとするため、ボールホルダー外形部に亀裂が生じてインキが染み出すことがあった。
【課題を解決するための手段】
【０００６】
本発明は、ボールホルダーとなる円柱状部材のボール抱持室となる前方の大径部を形成する前に、後ろ孔を形成し、この後ろ孔側から、切削刃を放射状に配置した切削治具を挿入して、放射状溝を非貫通状態にまで穿孔した後、ボールホルダーの前方よりボール抱持室となる大径部を穿孔し、ボール抱持室と放射状溝とを貫通させるボールペンチップの製造方法を要旨とする。
【発明の効果】
【０００７】
本発明によれば、後孔側から切削刃を放射状に配置した切削治具を挿入するため、切削治具の進行方向に後孔錐面にバリ・脱落部の発生がなく良好な状態となり、スプリング先端ストレート部が引掛ったり、放射状溝に挟まるといったスプリング挿入不良がなく、ボールの前方付勢が確実となり、インキ漏れ、空気巻き込みによるカスレなどの筆記不具合の防止ができると共に、ボール抱持室となる前方の大径部を形成する前に、後孔側から放射状溝を非貫通状態にまで穿孔して、その後、ボールホルダーの前方よりボール抱持室となる大径部を穿孔し、ボール抱持室と放射状溝とを貫通させるため、ボールホルダーの先端側が非開口状態なので十分な強度があり、放射状溝加工時の加工抵抗によるボールホルダー外形部への亀裂や、ボール抱持室の壁部分が中心孔方向に倒れ、真円度が損なわれるような、ボール抱持室の歪みがない。
また、放射状溝周りにもボール抱持室錘面に切削治具の進行方向に形成されたバリ・脱落部がないため、ボールがボール抱持室の中心に座るため、ボールホルダーの先端開口部をカシメて縮径し、ボールを抜け止めする工程での真円度が向上し方向性筆跡の抑制となる。
【図面の簡単な説明】
【０００８】
【図１】後孔及び先端テーパー部形成工程を示す要部縦断面図。
【図２】中心孔形成工程を示す要部縦断面図。
【図３】放射状溝形成工程を示す要部縦断面図
【図４】放射状溝形成工程で加工されたボールペンチップの要部縦断面図。
【図５】貫通放射状溝形成工程を示す要部縦断面図。
【図６】ボール抱持室仕上げ加工工程を示す要部縦断面図。
【図７】ボール抱持室仕上げ加工工程で加工されたボールペンチップの要部縦断面図。
【図８】図７のＩ−Ｉ’線横断面矢視図。
【図９】放射状溝バリ除去工程を示す要部縦断面図。
【図１０】カシメ工程を示す要部縦断面図。
【図１１】凹部形成工程を示す要部縦断面図。
【図１２】凹部形成工程まで加工されたボールペンチップの要部縦断面図。
【図１３】チップセットまで加工されたボールペンチップの縦断面図。
【図１４】リフィルまで加工されたボールペンチップの縦断面図。
【発明を実施するための形態】
【０００９】
ボールペンチップの基本的な構造は、紙面などの被筆記面と接触してインキを転写する筆記部材となるボールと、これを回転自在に抱持するボールホルダーとからなるものであり、インキの通り道であるボールホルダーの貫通孔を通じて被筆記面にインキを付与するものである。
【００１０】
ボールは、タングステンカーバイドやシリコンカーバイドなどを主成分とした焼結体のボールを使用でき、ボールホルダーとなる金属製の柱状部材は、ステンレスや黄銅、洋白などの合金製の線材を切断して使用できる。インキ流通路である放射状溝を加工する際に発生するバリ・脱落の抑制のためには、線材の硬度は硬めが望ましく、Ｈｖ２６０〜２８０程度が好ましいが、反面、切削刃の耐久性が低下することからＨｖ２３０〜２７０程度とすることが好ましい。また、ボールホルダーは中心付近を切削して形成されるので、線材の中心付近の硬度が、外形付近の高度よりもＨｖ１５〜２０程度低いものを使用することが好ましい。
【００１１】
ボールホルダーの貫通孔はインキ流通路であり、ドリルなどで形成される。先ず、
比較的大径のドリルにて後孔となる部分を柱状部材に形成し、次いで比較的小径のドリルにて中心孔となる部分をボールホルダーの後方より所定寸法まで掘り進める。
尚、後孔を深く掘る必要がある場合には、大径のドリルで深く掘り進むのには大きな力が必要であったり、ドリルへの負担も大きいものとなるので、大径〜小径へ径を次第に小径とするようにドリルを替えて、徐々に深く掘り進めることが好ましい。更に、ボールを配置した後にボールを前方付勢するコイルスプリングなどを挿入配置する場合、中心孔と後孔との間に形成される径の差分の段部分を鋭角な傾斜状に形成しておくとコイルスプリングが傾斜面を滑り中心孔に落ち易くなり好ましい。
中心孔を形成するのは、ボール抱持室に設置されるボールの後退規制をなす段部をボール抱持室と後孔との間に形成するためであり、結果的に中心孔はインキの流通量を制限する部分となっている。特に、ボールを前方付勢するコイルスプリングのような他部材を挿入する場合、その挿入物の分インキの流通できる有効横断面積が減少することになるので、その分も考慮した設計寸法値とすることが望まれ、中穴横断面積からコイルスプリング先端ストレート部の線径横断面積を差し引いた有効横断面積がボール投影断面積の０．１９以下にならないよう中心孔の径や、長さを調整することによって適正なインキ流量とすることできる。
【００１２】
中心孔の加工深さは、後述する切削刃により放射状溝が形成される際、排除される金属肉片が中心孔内に収納できるよう中心孔加工深さを設定することで切削刃と排除される金属肉片が干渉することによる切削刃の破損を防止できる。
中心孔の長さは、後述する先端端部側から、大径のドリルにてボール抱持室を形成することによって決められるため予め設定通りの中心孔長さになるよう後孔深さで調節する。
【００１３】
次に、放射状に配置された切削刃を有する切削冶具を後孔側から挿入し、後孔と中心孔との間の段部側から放射状溝を穿孔し、ボール抱持室と放射状溝とを貫通させる工程で形成される内方突出部となる箇所を部分的に剥ぎ取り、該部に中心孔に連通した放射状の溝を形成する。この放射状溝は、後孔側から切削刃を放射状に配置した切削冶具を挿入するため後孔錐面にバリ・脱落部の発生が皆無となる。
また、ボール抱持室形成前に、切削刃を有する切削冶具を中心孔の途中で止め、非貫通状態に放射状溝を形成するので、切削冶具が切削した面は剪断面となり、切削冶具を止めた放射状溝の上側に切削冶具により押し退けられたボールホルダーの金属肉片が中心孔内に収納された状態となる。ボールホルダーの先端側が非開口状態で放射状溝を形成するため、ボールホルダー先端側が十分な強度があり、放射状溝加工による歪みの発生がない。尚、これに対して、ボール抱持室形成後、放射状溝を形成した場合、放射状溝加工時、その加工抵抗によりボール抱持室の底面が内壁面と底面との接続点を支点に内側に倒れ、設計で意図した先端開口部からの一部ボール突出高さにズレが生じたり、放射状溝を加工した部分の延長線上にあるボール抱持室の壁部分も中心孔方向に倒れが発生し、真円度が損なわれるボール抱持室の歪みが発生することがある。
また、放射状溝の幅は、コイルスプリング先端ストレート部の線径より狭く設定することで放射状溝内へのコイルスプリング先端ストレート部挟まりが防止でき、ボールを前方に付勢することが確実になるだけでなく、インキ流通路が塞がれてインキ流通が阻害されることも防止される。
【００１４】
次いで、大径のドリルにて先端端部側からボール抱持室となる前方の大径部を所定寸法まで掘り進め、ボール抱持室と放射状溝とを貫通させると同時に放射状溝加工時に排除された金属肉片も除去される。
この際、ドリルの先端部分の開き角度を、最終的に形成するボール抱持室と中心孔との段部の角度に近似したものにしておくと後の加工が少なくて済むので好ましい。
【００１５】
続いて、ボールペンの品質に大きく影響を及ぼすボールホルダー先端部の仕上がり寸法の精度を向上させるため、ボール抱持室の内壁面部分及び底面に該当する段部表面にドリル又はバイト等の切削刃で再切削する。また、先端外面取り部も同時にバイトで切削し、仕上げ加工をする。
この仕上げ加工は、前述したボール抱持室形成後、放射状溝を形成した場合発生するボール抱持室の歪みを除去する加工も兼ねているので、寸法精度を向上させる以上の仕上げ加工代が必要であるが、ボール抱持室形成前に放射状溝を形成する本発明では、ボール抱持室の歪みが発生せず除去する必要がなく、加工代が少なく済み、刃物の寿命が延びる。
【００１６】
続いて、前述した後孔側から放射状溝を形成する加工で使用した同一切削冶具をボール抱持室側から挿入し後孔に貫通させ、ボール抱持室と放射状溝とを貫通させる加工及びボールホルダー先端部の仕上げ加工時発生した放射状溝の一部を塞いでいる切削横バリを除去することで放射状溝の塞がりがなくインキ流通が損なわれずボール抱持室に潤沢なインキを供給することができる。
【００１７】
その後、筆記部材となるボールを、ボール抱持室に配置し、ボールホルダーの先端開口部の縁部分を圧接工具によるカシメと呼ばれる塑性変形加工を行うことで、ボールの直径よりも小径に縮径され、ボールの抜け止めがなされる。
この際、前述したボール抱持室形成後、放射状溝を形成した場合発生するボール抱持室の歪みがなく、また、ボール抱持室錐面に形成された放射状溝周りにもバリや脱落部がないため、ボールがボール抱持室の中心に座り易く、均一なカシメとなり真円度が損なわれない。
【００１８】
続いて、ハンマー工具によってボールに衝撃力を付与する所謂ハンマー工程を施して、ボールを、ボール抱持室と中心孔との間の段部に撃ち付け、この段部の中心側をボールの形状に塑性変形させて凹部を形成すると同時にボールが前後に移動可能な空間を形成する。これによって、筆記時にボールが紙面と当接して後退し、インキが吐出される隙間が形成される。従って、この凹部の大きさを調整することで、ボールの前後移動可能な空間が調整され、インキ吐出を適量にできる。
尚、カシメ工程を、段部に凹部を形成する工程の後に施した場合には、後穴からピンを挿入してボールを押し上げて、カシメられたボールホルダー先端部分を若干拡開し、ボールが前後に移動可能な空間を形成することもできる。
【００１９】
このようにして得られたボールペンチップのボールホルダーのインキ通路に、コイルスプリングを挿入し、その先端で直接又は部材を介してボールを前方付勢し、非使用時に、ボールがボールホルダーと周状当接し、不要なインキの漏れ出しなどを抑制することができる。
コイルスプリングの後方移動規制は、ボールホルダーの後端をカシメたり、インキタンクや、インキタンクとの接続部材に形成した段部とすることもできる。また、コイルスプリングは、ボールと当接させる先端部分を直線状に伸ばした形状とすることで、段部の存在などによって細い穴となっている中心孔でも挿入し易く好ましい。
本発明では、後孔の錐面に形成された放射状溝周辺にバリ・脱落部の発生がないため、コイルスプリングが確実に挿入され確実にボールに押圧力を付与することができる。
【００２０】
本発明で得られたボールペンチップを使用するボールペンに適用するインキとしては、水を主媒体とした水性インキ、アルコールなどの有機溶剤を主媒体とした油性インキのいずれも使用可能であり、これに着色成分である顔料及びまたは染料、凍結防止などのための高沸点有機溶剤、被筆記面への定着性を付与する樹脂成分、表面張力や粘弾性、潤滑性などを調整する界面活性剤や多糖類、防錆・防黴剤などが配合されたものであり、誤字修正などを目的とした酸化チタンなどの白色隠蔽成分を配合したものであってもよい。
また、インキの粘度や残量確認などの必要に応じて、インキ界面に接触させて、インキと相溶しない、α−オレフィンやポリブテンなどのゲル化物、シリコーンオイルなどの高粘度流体などをインキ界面に追従して移動するように層状に充填配置することもできる。この高粘度流体は、インキの逆流を抑制する働きをも担いうる。
【実施例】
【００２１】
以下、図面に基づき一例について説明する。尚、各工程に冠した括弧内の数字の順に工程が移行するものとする。
【００２２】
＜（１）後孔及び中心孔形成工程＞
図１に示すように、ボールホルダー１となる円柱状金属部材をチップ加工機のコレットチャック（図示せず）に固定し、全長を所定の長さにあわせるために前後端をバイト（図示せず）にて切断した後、バイトＡを図上の矢印にて示すように回転させながら下降させて、複数に分けて切削して先端外形を先端に向かい縮径するテーパー部１ａを形成する。尚、当該バイトＡによるテーパー部１ａの形成加工は、後述のかしめ加工の前までに実施すればよく、それによって、加工材料の肉厚を維持できて内側加工の影響をより外側に出さない様にすることもできる。
そして、ドリルＢにて、後方より後孔２を所定の位置まで穿孔する。
尚、先端外形テーパー部形成と後孔形成工程は、同時でも別工程でもよい。
次に、図２に示すように、後孔２の後方よりドリルＣによって、中心孔３を穿孔する。図示のものでは、中心孔３を穿孔する前に、ドリルの中心位置ガイドとなる補助孔３’を形成しているが、補助孔を形成するかどうかは適宜である。補助孔を形成する場合は、後孔２を加工するドリルＢの先端角及び、中心孔３を加工するドリルＣの先端角より鋭角な先端角のバイトやドリルで中心孔３より大径な補助孔３´とすることが好ましい。ドリルＣによる穿孔深さは、後工程による放射状溝の形成長さに加えて、放射状溝を非貫通状態に形成する際に出る切削金属肉片が収納できる長さとなる位置までにすると、非貫通状態でありながらも、切削金属片が穿孔の障害となり難い。
【００２３】
＜（２）放射状溝形成工程＞
図３に示すように、後孔２と中心孔３とを加工して形成された段部４に、放射状に配置された切削刃を有する切削冶具Ｄを後孔側から挿入し、切削加工し、中心孔３の途中で切削冶具Ｄを止め、非貫通状態にインキ流通孔としての放射状溝５を形成する。
ここまでの工程で得られたものの要部縦断面図を図４に示す。
切削冶具Ｄを後孔側から挿入し、放射状溝５を形成することで、後孔２錐面２ａには脱落及びバリの発生が皆無となる。また、非貫通状態に放射状溝５を形成することで切削冶具Ｄがボール抱持室に貫通する際、発生する脱落及びバリの発生も抑えられる。
また、ボールホルダー１の先端側が非開口状態で放射状溝を形成するので、ボール抱持室の歪みの発生もないが、切削冶具Ｄを止めた放射状溝５の上側に、切削冶具Ｄにより押し退けられ排除されたボールホルダーの金属肉片６が発生する。前記中心孔形成工程にて、この金属肉片６が収納できる中心孔３の長さにしていることで、金属肉片６の上側の中心孔３に空間７があるため、切削冶具Ｄの進行を阻害することがない。
【００２４】
＜（３）貫通放射状溝形成工程＞
図５に示すように、大径のドリルＥでボール抱持室８を形成してボール抱持室８と中心孔３との間に内抱突出部９を形成しつつ、ボール抱持室８と放射状溝５とを貫通させる。
次に、図６に示すように、ボール抱持室８の内壁面８ａ、底面８ｂをバイトＦにて仕上げ切削する。また、先端面８ｃもバイトＦ’にて仕上げ切削すると同時に先端外面取り部８ｄもバイトＦ’’にて仕上げ切削する。
ここまでの工程で得られたものの要部縦断面図を図７に示す。図８は図７のＩ−Ｉ’線断面矢視図であり、前述した放射状溝形成工程で脱落・バリのない非貫通状態に放射状溝５を形成しているため、ボール抱持室８を穿孔し、貫通した放射状溝５のボール抱持室８の底面８ｂの放射状溝５の周辺には、脱落部及び切削治具Ｄの進行方向に形成されるバリがない状態となると同時に、中心孔３内に収納された放射状溝加工時に排除された金属肉片６も除去される。また、ボール抱持室８の歪みもなく、後工程でのボールをボール抱持室８に配置した時、ボールがボール抱持室８の中心に座りボール寄りが抑えられるが、ボール抱持室８の底面８ｂを切削した際に、放射状溝５のバイトの回転方向側の肉が放射状溝５側に延び、横バリ１０が発生し、放射状溝５の一部が塞がれ、インキ流路の減少となる。
【００２５】
＜（４）放射状溝バリ除去工程＞
図９に示すように、前述した後孔側から非貫通状態に放射状溝５を形成する加工で使用した同一切削冶具Ｄをボール抱持室側８から挿入し後孔２に貫通させ、ボール抱持室加工工程にて発生した放射状溝５を一部塞いでいる切削横バリ１０が除去され、インキ流通路が塞がれてインキ流通が阻害されることが防止される。
【００２６】
＜（５）カシメ工程＞
図１０に示すように、次いで、ボール１１をボール抱持室８に配置した後、ボールホルダー１の先端外面取り部８ｄをローラーなどの圧接加工具Ｇにて、内方に向かって塑性変形させるかしめ加工を施し、ボール１１をボール抱持室８から抜け止めする。
【００２７】
＜（６）凹部形成工程＞
図１１に示すように、ボール１１に対してハンマー工具Ｈによって衝撃力を付与し、その塑性変形により内抱突出部９の段部９ａにボール１１の形状を転写した凹部１２を形成する。このハンマー工具Ｈの内抱突出部９の段部９ａへの押し付け深さを調整することにより、ボールが前後に移動可能な空間を形成する。これによって、筆記時にボールが紙面と当接して後退し、インキが吐出される隙間が形成される。
ここまでの工程で得られたものの要部縦断面図を図１２に示す（ボール１１は破線で表示）。
【００２８】
図１３に示すように、ボールホルダー１の後孔２よりボール１１を前方付勢するための、先端にストレート部を有するコイルスプリング１３を挿入し、ボールホルダー１の後端１ｂを内方に向かって塑性変形させる、かしめ加工を施し、コイルスプリングの後方移動規制を行い、固定する。
中心孔３と貫通している後孔２の錐面２ａに形成された放射状溝５の周りには、脱落及びバリが皆無なため、コイルスプリング１３の先端ストレート部１３ａが後孔２の錐面２ａを滑り落ち、中心孔３内に確実に挿入される。
図１４に示すように、コイルスプリング１３を設置したボールホルダー１の後端の小径部１ｃをポリプロピレン樹脂などの押し出し成形パイプであるインキ収納管１４の先端に圧入固定する。
インキ収納管１４内に、インキ１５を充填し、その後、インキ界面に追従体１６を充填し、インキ内の空気を除去する遠心工程を経て所謂リフィルとなる。
【符号の説明】
【００２９】
１  ボールホルダー
１ａテーパー部
１ｂ後端
１ｃ後端小径部
２  後孔
２ａ錐面
３  中心孔
３’  補助孔
４  段部
５  放射状溝
６  金属肉片
７  空間
８  ボール抱持室
８ａ内壁面
８ｂ底面
８ｃ先端面
８ｄ先端外面取り部
９  内抱突出部
９ａ段部
１０  横バリ
１１ボール
１２凹部
１３コイルスプリング
１３ａ  先端ストレート部
１４インキ収納管
１５インキ
１６追従体
Ａ  バイト
Ｂ  ドリル
Ｃ  ドリル
Ｄ  切削冶具
Ｅ  ドリル
Ｆ  バイト
Ｆ’  バイト
Ｆ’’  バイト
Ｇ  圧接加工具
Ｈ  ハンマー工具
【図１】
0005549276.tif 000002
【図２】
0005549276.tif 000003
【図３】
0005549276.tif 000004
【図４】
0005549276.tif 000005
【図５】
0005549276.tif 000006
【図６】
0005549276.tif 000007
【図７】
0005549276.tif 000008
【図８】
0005549276.tif 000009
【図９】
0005549276.tif 000010
【図１０】
0005549276.tif 000011
【図１１】
0005549276.tif 000012
【図１２】
0005549276.tif 000013
【図１３】
0005549276.tif 000014
【図１４】
0005549276.tif 000015